(57)【要約】【課題】電流供給経路の異常に関わらず、安定した電源供給を可能とする自動車用電源装置を提供する。【解決手段】自動車に搭載されるとともに、電源部３ａ，３ｂ，４から複数の電力供給経路２ａ〜２ｇを介して電力を供給可能とした複数の電源ボックス１ａ〜１ｆと、各電源ボックスに接続された負荷５と、各電源ボックスに設けられ、負荷と各電力供給経路との接続を開閉する開閉装置と、自動車の周辺の衝突危険度を検出し、その衝突危険度があらかじめ設定されたレベルを超えたとき、電源ボックスに電力を供給する電力供給経路を衝突危険度の低い供給経路に切り替える供給経路切替信号Ｓ１〜Ｓ６を開閉装置に出力する電力供給経路切替装置６，７ａ〜７ｄ，８を備えた。【選択図】図１
2015113101.tif 000002
【特許請求の範囲】
【請求項１】
自動車に搭載されるとともに、電源部から複数の電力供給経路を介して電力を供給可能とした複数の電源ボックスと、
前記各電源ボックスに接続された負荷と、
前記各電源ボックスに設けられ、前記負荷と前記各電力供給経路との接続を開閉する開閉装置と、
前記自動車の周辺の衝突危険度を検出し、その衝突危険度があらかじめ設定されたレベルを超えたとき、前記電源ボックスに電力を供給する電力供給経路を衝突危険度の低い供給経路に切り替える供給経路切替信号を前記開閉装置に出力する電力供給経路切替装置と
を備えたことを特徴とする自動車用電源装置。
【請求項２】
請求項１に記載の自動車用電源装置において、
前記電力供給経路切替装置は、
前記自動車の周辺に近づく障害物を検出する監視センサと、
前記監視センサから出力される検出信号に基づいて、衝突危険度があらかじめ設定されたレベルを超えたとき危険判定信号を出力する監視部と、
前記危険判定信号の入力に基づいて、前記供給経路切替信号を生成する切替制御部と
を備えたことを特徴とする自動車用電源装置。
【請求項３】
請求項２に記載の自動車用電源装置において、
前記監視センサを前記自動車の前部及び後部にそれぞれ設けるとともに、前記電源ボックス及び電力供給経路を前記自動車の周囲に環状に配設し、前記危険判定信号により前記電源ボックスへの電力供給経路を衝突危険度の低い供給経路に切り替えることを特徴とする自動車用電源装置。
【請求項４】
請求項２に記載の自動車用電源装置において、
前記監視センサを前記自動車の左右両側部にそれぞれ設けるとともに、前記電源ボックス及び電力供給経路を前記自動車の周囲に環状に配設し、前記危険判定信号により前記電源ボックスへの電力供給経路を衝突危険度の低い供給経路に切り替えることを特徴とする自動車用電源装置。
【請求項５】
請求項１乃至４のいずれか１項に記載の自動車用電源装置において、
前記開閉装置は、
前記複数の電力供給経路と前記負荷との間にそれぞれ配設された切替スイッチと、
前記供給経路切替信号に基づいて、前記切替スイッチのいずれか一方を遮断状態とする制御部と
を備えたことを特徴とする自動車用電源装置。
【発明の詳細な説明】
【技術分野】
【０００１】
本発明は、多数の装備に対し、複数の電源供給経路を確保して、電力供給の冗長化を図ることにより、各装備の動作を安定化させるようにした自動車用電源装置に関するものである。
【背景技術】
【０００２】
近年の電子化された自動車では、バッテリーから多数の装備に電力を供給するために、バッテリーと各装備との間に複数の電源ボックスが介在されている。そして、各電源ボックスを電源制御ＥＣＵで開閉制御して、バッテリーから各装備に対し複数の電力供給経路を確保することにより、いずれかの電力供給経路が遮断状態となっても、電力供給経路を適宜に切り替えることにより、各装備を安定して動作させることが可能となっている。
【０００３】
特許文献１には、電力分配部に電力を供給する電力線に異常が発生した場合には、その異常を検知して当該電力線以外の他の電力供給経路を介して当該電力分配部に電力を供給することにより、電力供給を安定化させた電力分配システムが開示されている。
【先行技術文献】
【特許文献】
【０００４】
【特許文献１】特開平９−２７５６３２号公報
【発明の概要】
【発明が解決しようとする課題】
【０００５】
特許文献１に開示された自動車用電源装置では、電力線の異常により電源電圧の低下が検出されたとき、当該電力線を不導通とするとともに、他の電力供給経路から当該電力分配部に電力を供給する。このため、電力供給経路の切替時には電源の瞬断あるいは電源電圧の低下が発生するため、当該電力分配部から電力が供給される装備で、不具合が発生するおそれがある。
【０００６】
この発明はこのような事情に鑑みてなされたものであり、その目的は電流供給経路の異常に関わらず、安定した電源供給を可能とする自動車用電源装置を提供することにある。
【課題を解決するための手段】
【０００７】
上記課題を解決する自動車用電源装置は、自動車に搭載されるとともに、電源部から複数の電力供給経路を介して電力を供給可能とした複数の電源ボックスと、前記各電源ボックスに接続された負荷と、前記各電源ボックスに設けられ、前記負荷と前記各電力供給経路との接続を開閉する開閉装置と、前記自動車の周辺の衝突危険度を検出し、その衝突危険度があらかじめ設定されたレベルを超えたとき、前記電源ボックスに電力を供給する電力供給経路を衝突危険度の低い供給経路に切り替える供給経路切替信号を前記開閉装置に出力する電力供給経路切替装置を備えることを特徴とする。
【０００８】
この構成により、衝突危険度の上昇により、電力供給経路の異常の発生に先立って当該電力供給経路が衝突危険度の低い供給経路に切り替えられる。
また、上記の自動車用電源装置において、前記電力供給経路切替装置は、前記自動車の周辺に近づく障害物を検出する監視センサと、前記監視センサから出力される検出信号に基づいて、衝突危険度があらかじめ設定されたレベルを超えたとき危険判定信号を出力する監視部と、前記危険判定信号の入力に基づいて、前記供給経路切替信号を生成する切替制御部とを備えることが好ましい。
【０００９】
この構成により、監視センサで障害物が検出されると、監視部から危険判定信号が出力され、その危険判定信号に基づいて切替制御部により供給経路切替信号が生成される。
また、上記の自動車用電源装置において、前記監視センサを前記自動車の前部及び後部にそれぞれ設けるとともに、前記電源ボックス及び電力供給経路を前記自動車の周囲に環状に配設し、前記危険判定信号により前記電源ボックスへの電力供給経路を衝突危険度の低い供給経路に切り替えることが好ましい。
【００１０】
この構成により、自動車の前方あるいは後方で衝突危険度が上昇すると、自動車の前方あるいは後方で衝突危険度の高い供給経路が衝突危険度の低い供給経路に切り替えられる。
【００１１】
また、上記の自動車用電源装置において、前記監視センサを前記自動車の左右両側部にそれぞれ設けるとともに、前記電源ボックス及び電力供給経路を前記自動車の周囲に環状に配設し、前記危険判定信号により前記電源ボックスへの電力供給経路を衝突危険度の低い供給経路に切り替えることが好ましい。
【００１２】
この構成により、自動車の左方あるいは右方で衝突危険度が上昇すると、自動車の左方あるいは右方で衝突危険度の高い供給経路が衝突危険度の低い供給経路に切り替えられる。
【００１３】
また、上記の自動車用電源装置において、前記開閉装置は、前記複数の電力供給経路と前記負荷との間にそれぞれ配設された切替スイッチと、前記供給経路切替信号に基づいて、前記切替スイッチのいずれか一方を遮断状態とする制御部とを備えることが好ましい。
【００１４】
この構成により、供給経路切替信号が電源ボックスの制御部に入力されると、負荷に接続される電力供給経路が切り替えられる。
【発明の効果】
【００１５】
本発明の自動車用電源装置によれば、電流供給経路の異常に関わらず、電源を安定して供給することができる。
【図面の簡単な説明】
【００１６】
【図１】一実施形態の自動車用電源装置を示す配線図である。
【図２】一実施形態の自動車用電源装置を示す配線図である。
【図３】一実施形態の動作を示す説明図である。
【発明を実施するための形態】
【００１７】
以下、自動車用電源装置の一実施形態を図面に従って説明する。
図１に示すように、自動車には６台の電源ボックス１ａ〜１ｆが配設され、各電源ボックス１ａ〜１ｆは電源幹線２ａ〜２ｆでループ状に接続されている。また、電源ボックス１ｃ，１ｆは電源幹線２ｇで接続され、電源ボックス１ａ，１ｂ，１ｃ，１ｆ及び電源ボックス１ｃ，１ｄ，１ｅ，１ｆがループ状に接続されている。
【００１８】
前記電源ボックス１ａにはバッテリー３ａとオルタネータ４が接続され、前記電源ボックス１ｄにはバッテリー３ｂが接続されている。そして、各電源ボックス１ａ〜１ｆにはバッテリー３ａ，３ｂの少なくともいずれかから電力が供給される。
【００１９】
また、各電源ボックス１ａ〜１ｆには多数の装備が負荷５として接続され、前記バッテリー３ａ，３ｂから供給された電力が各負荷５に供給される。
前記各電源ボックス１ａ〜１ｆには電源制御ＥＣＵ６が接続されている。そして、電源制御ＥＣＵ６は、各電源ボックス１ａ〜１ｆにいずれの電源幹線２ａ〜２ｇから電力を供給するかを制御する。
【００２０】
自動車の前部及び後部と左右両側部には、レーザーレーダー等で構成される監視センサ７ａ〜７ｄがそれぞれ配設され、各監視センサ７ａ〜７ｄは車両周辺監視用ＥＣＵ８に接続されている。
【００２１】
各監視センサ７ａ〜７ｄは、車両周辺に近づく障害物や他の自動車等を検出し、その検出信号を監視用ＥＣＵ８に出力する。監視用ＥＣＵ８は各監視センサ７ａ〜７ｄの検出信号に基づいて自動車の周辺での衝突危険度があらかじめ設定されたレベルを超えているか否かを判定し、超えている場合には危険判定信号を電源制御ＥＣＵ６に出力する。
【００２２】
電源制御ＥＣＵ６は、その危険判定信号に基づいて各電源ボックス１ａ〜１ｆに供給経路切替信号Ｓ１〜Ｓ６を出力し、各電源ボックス１ａ〜１ｆでは供給経路切替信号Ｓ１〜Ｓ６に基づいて電力の供給を受ける電源幹線２ａ〜２ｇを選択する。
【００２３】
次に、前記電源ボックス１ａ〜１ｆの具体的構成を説明する。
図２は、前記電源ボックス１ｅを示す。前記電源幹線２ｄ，２ｅ間には切替スイッチ９ａ，９ｂが介在され、その切替スイッチ９ａ，９ｂ間には多数の負荷５がそれぞれ負荷駆動スイッチ１０を介して接続されている。
【００２４】
前記切替スイッチ９ａ，９ｂ及び負荷駆動スイッチ１０は、制御部１１から出力される切替信号に基づいて開閉制御される。前記制御部１１には、前記電源制御ＥＣＵ６から出力される供給経路切替信号Ｓ５が入力され、制御部１１はその供給経路切替信号Ｓ５に基づいて切替スイッチ９ａ，９ｂ及び負荷駆動スイッチ１０を開閉制御する。
【００２５】
電源ボックス１ｂは、電源ボックス１ｅと同様な構成であり、電源ボックス１ａはバッテリー３ａとオルタネータ４が切替スイッチ間に接続され、電源ボックス１ｄはバッテリー３ｂが切替スイッチ間に接続される点が異なる。
【００２６】
また、電源ボックス１ｃ，１ｆはそれぞれ３本の電源幹線が接続されるため、各電源幹線がそれぞれ切替スイッチを介して接続される。
次に、上記のように構成された自動車用電源装置の作用を説明する。
【００２７】
監視センサ７ａ〜７ｄからの検出信号により、自動車周辺の衝突危険度が低い通常時には、各電源ボックス１ａ〜１ｆには、少なくとも一本の電源幹線が接続され、バッテリー３ａ若しくはバッテリー３ｂから電力が供給される。
【００２８】
そして、各電源ボックス１ａ〜１ｆから各負荷５に電力が供給されて、各負荷５が正常に動作する。
図３に示すように、例えば自動車の後方に後続車１２が接近すると、監視センサ７ｂの検出信号により車両周辺監視用ＥＣＵ８が衝突危険度の上昇を判定し、その判定信号を電源制御ＥＣＵ６に出力する。そして、電源制御ＥＣＵ６は電源ボックス１ｅに供給経路切替信号Ｓ５を出力する。
【００２９】
すると、電源ボックス１ｅでは制御部１１の動作により切替スイッチ９ｂが不導通状態となるとともに、切替スイッチ９ａが導通状態となり、電源幹線２ｄが切断された状態となる。
【００３０】
この状態では、電源ボックス１ｄには電源幹線２ｃから電力が供給されて、電源ボックス１ｄに接続された各負荷５に電力が供給される。また、電源ボックス１ｅには電源幹線２ｅから電力が供給されて、電源ボックス１ｅに接続された各負荷５に電力が供給される。
【００３１】
この状態から、後続車１２が追突して電源幹線２ｄが破壊されても、電源ボックス１ｄには電源幹線２ｃから電力が供給されるとともに、電源ボックス１ｅには電源幹線２ｅから電力が供給されるので、電源ボックス１ｄ，１ｅで電源の瞬断や電源電圧の低下が発生することはない。
【００３２】
監視センサ７ａにより、自動車の前方での衝突危険度の上昇が判定された場合には、同様に異常の発生に先立って電源幹線２ａが切断された状態となり、監視センサ７ｃ，７ｄにより自動車の左右方向での衝突危険度の上昇が判定された場合には、異常の発生に先立って電源幹線２ｃあるいは電源幹線２ｅが切断された状態となる。
【００３３】
上記のような自動車用電源装置では、次に示す効果を得ることができる。
（１）衝突危険度の上昇を検知して、予測される異常の発生に先立って、異常が予測される電源幹線２ａ〜２ｆ以外の電源幹線から当該電源幹線が接続される電源ボックス１ａ〜１ｆに電力を供給することができる。従って、電源幹線２ａ〜２ｆで異常が発生しても、当該電源幹線が接続される電源ボックスでの電源の瞬断や電源電圧の低下を防止することができる。
【００３４】
なお、上記実施形態は以下のように変更してもよい。
・異常の発生が予測された電源幹線２ａ〜２ｆを遮断するとき、電源制御ＥＣＵ６により電源ボックス１ａ〜１ｆの負荷駆動スイッチ１０を開閉制御して、あらかじめ設定された優先度に応じて、電力を供給する負荷５を制限してもよい。このような制御を行うことにより、各電源幹線の電力容量を超えないように制御することができる。
【符号の説明】
【００３５】
１ａ〜１ｆ…電源ボックス、２ａ〜２ｇ…電力供給経路（電源幹線）、３ａ，３ｂ…電源部（バッテリー）、４…電源部（オルタネータ）、５…負荷、６…電力供給経路切替装置（切替制御部、電源制御ＥＣＵ）、７ａ〜７ｄ…電力供給経路切替装置（監視センサ）、８…電力供給経路切替装置（監視部、監視用ＥＣＵ）、９ａ，９ｂ…開閉装置（切替スイッチ）、１１…開閉装置（制御部）、Ｓ１〜Ｓ６…供給経路切替信号。
【図１】
2015113101.tif 000003
【図２】
2015113101.tif 000004
【図３】
2015113101.tif 000005